(57)【要約】【課題】地上デジタルテレビジョン放送波のＡＣ信号を用いて緊急情報を送信する緊急情報送信装置及び受信装置を提供する。【解決手段】本発明の緊急情報送信装置１は、伝送する緊急情報を、同期信号、起動信号、情報内容更新フラグ、及び緊急情報データを含む所定の電文フォーマットの緊急情報に変換する緊急情報データ変換部１１と、変換した緊急情報に対して誤り訂正符号のパリティビットを演算して付加する誤り訂正符号演算部１２と、パリティビットを付加した変換後の緊急情報をＡＣ信号で伝送するためにトランスポートストリームに多重する放送ＴＳ再多重部１３と、生成した放送トランスポートストリームを地上デジタルテレビジョン放送波の変調波に変調するＯＦＤＭ変調部１４とを備える。【選択図】図１
2010233199.tif 000002
【特許請求の範囲】
【請求項１】
地上デジタルテレビジョン放送波のＡＣ信号を用いて緊急情報を送信する緊急情報の送信装置であって、
伝送する緊急情報を、ＡＣ信号の同期確立に用いる同期信号と、緊急情報データの有無を表すための起動信号と、緊急情報データの更新の有無を識別するための情報内容更新フラグと、緊急情報データとを含む所定の電文フォーマットの緊急情報に変換する緊急情報データ変換部と、
変換した緊急情報に対して誤り訂正符号のパリティビットを演算して付加する誤り訂正符号演算部と、
前記パリティビットを付加した変換後の緊急情報をＡＣ信号で伝送するためにトランスポートストリームに多重する放送ＴＳ再多重部と、
前記放送ＴＳ再多重部で生成した放送トランスポートストリームを地上デジタルテレビジョン放送波の変調波に変調する変調部と、
を備えることを特徴とする送信装置。
【請求項２】
前記起動信号及び前記情報内容更新フラグの各々は、前記電文フォーマット内で隣接配置して形成されていることを特徴とする、請求項１に記載の送信装置。
【請求項３】
前記起動信号及び前記情報内容更新フラグの各々は、互いに冗長性を有して前記電文フォーマット内で隣接配置されていることを特徴とする、請求項２に記載の送信装置。
【請求項４】
前記起動信号及び前記情報内容更新フラグの各々は、緊急情報データがある旨を示す起動信号の直後にのみ互いに冗長性を有する値で前記電文フォーマット内に隣接配置されていることを特徴とする、請求項３に記載の送信装置。
【請求項５】
当該伝送する緊急情報が、緊急警報放送、緊急地震速報、ニュース速報に関連する情報のいずれかであることを特徴とする、請求項１〜４のいずれか一項に記載の送信装置。
【請求項６】
地上デジタルテレビジョン放送波を受信する受信装置であって、
伝送される緊急情報が、ＡＣ信号の同期確立に用いる同期信号と、緊急情報データの有無を表すための起動信号と、緊急情報データの更新の有無を識別するための情報内容更新フラグと、緊急情報データとを含む電文フォーマットの緊急情報としてＡＣ信号にて伝送可能に構成されており、
受信した無線周波信号を中間周波信号に変換するＲＦ受信部と、
変換した中間周波信号からＡＣ信号を復調するＡＣ信号復調部と、
ＡＣ信号内に多重された緊急情報データの信号系統とは別系統で、検出した情報内容更新フラグ値を受信する提示用信号処理部とを備え、
前記提示用信号処理部は、前記起動信号が緊急情報がある旨を示す場合でも、この直後の緊急情報データの受信以降は、緊急情報データの内容の更新がある旨を示す前記情報内容更新フラグ値を受信する場合にのみ、当該緊急情報データの受信動作を許容することを特徴とする受信装置。
【請求項７】
前記起動信号及び前記情報内容更新フラグの各々は、前記電文フォーマット内で隣接配置して形成されていることを特徴とする、請求項６に記載の受信装置。
【請求項８】
前記起動信号及び前記情報内容更新フラグの各々は、緊急情報データがある旨を示す起動信号の直後にのみ互いに冗長性を有する値で前記電文フォーマット内に隣接配置されていることを特徴とする、請求項７に記載の受信装置。
【請求項９】
前記起動信号及び前記情報内容更新フラグの各々は、互いに冗長性を有して前記電文フォーマット内で隣接配置されていることを特徴とする、請求項８に記載の受信装置。
【請求項１０】
前記提示用信号処理部は、当該互いに冗長性を有して隣接配置されている前記起動信号及び前記情報内容更新フラグの各々の値について、多数決判定して緊急情報の有無を判断することを特徴とする、請求項９に記載の受信装置。
【請求項１１】
当該伝送する緊急情報が、緊急警報放送、緊急地震速報、ニュース速報に関連する情報のいずれかであることを特徴とする、請求項９又は１０に記載の受信装置。
【請求項１２】
地上デジタルテレビジョン放送の伝送システムであって、
地上デジタルテレビジョン放送波のＡＣ信号を用いて緊急情報を送信する緊急情報の送信装置と、
地上デジタルテレビジョン放送波を受信する受信装置とを備え、
前記送信装置は、
伝送する緊急情報を、ＡＣ信号の同期確立に用いる同期信号と、緊急情報データの有無を表すための起動信号と、緊急情報データの更新の有無を識別するための情報内容更新フラグと、緊急情報データとを含む所定の電文フォーマットの緊急情報に変換する緊急情報データ変換部と、
変換した緊急情報に対して誤り訂正符号のパリティビットを演算して付加する誤り訂正符号演算部と、
前記パリティビットを付加した変換後の緊急情報をＡＣ信号で伝送するためにトランスポートストリームに多重する放送ＴＳ再多重部と、
前記放送ＴＳ再多重部で生成した放送トランスポートストリームを地上デジタルテレビジョン放送波の変調波に変調する変調部とを備え、
前記受信装置は、
受信した無線周波信号を中間周波信号に変換するＲＦ受信部と、
変換した中間周波信号からＡＣ信号を復調するＡＣ信号復調部と、
ＡＣ信号内に多重された緊急情報データの信号系統とは別系統で、検出した情報内容更新フラグ値を受信する提示用信号処理部とを備え、
前記提示用信号処理部は、前記起動信号が緊急情報がある旨を示す場合でも、この直後の緊急情報データの受信以降は、緊急情報データの内容の更新がある旨を示す前記情報内容更新フラグ値を受信する場合にのみ、当該緊急情報データの受信動作を許容することを特徴とする、地上デジタルテレビジョン放送の伝送システム。
【発明の詳細な説明】
【技術分野】
【０００１】
本発明は、地上デジタルテレビジョン放送における緊急情報の送信装置及び受信装置、並びに伝送システムに関する。
【背景技術】
【０００２】
現在、地上デジタルテレビジョン放送の伝送システムとして、例えば、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ、ＡＲＩＢ規格ＳＴＤ‐Ｂ３１）方式が実用化されている。
【０００３】
そこでは、受信装置の復調動作に関わる情報を伝送するために設けられている、ＴＭＣＣ（Ｔｒａｎｓｍｉｓｓｉｏｎ ａｎｄ  Ｍｕｌｔｉｐｌｅｘｉｎｇ  Ｃｏｎｆｉｇｕｒａｔｉｏｎ  Ｃｏｎｔｒｏｌ： 伝送制御）信号と呼ばれる信号がある。
【０００４】
このＴＭＣＣ信号には、緊急警報放送用起動信号と呼ばれる、緊急警報放送に基づき津波警報などの情報を送っていることを知らせるためのビットが記述されている。このため、受信装置は、このＴＭＣＣ信号内の緊急警報放送用起動信号を検出して、その値が１である場合、緊急警報放送が伝送されていることを知ることができる。
【０００５】
一方、ＴＭＣＣ信号から緊急警報放送用起動信号を検出することが可能な受信装置は、緊急警報放送用起動信号が１のときに、この受信装置のＯＦＤＭ信号を復調及び復号するために電源を投入し、緊急警報放送の視聴を促す技術が開示されている（例えば、特許文献１参照）。
【０００６】
一方、気象庁は、平成１９年１０月１日から緊急地震速報（例えば、非特許文献１参照）の一般への提供を開始した。これに伴い、テレビジョン並びにラジオの放送局の一部で緊急地震速報が発表される際には、チャイム音とともにテレビジョン画面に表示または音声で伝えるなどの放送を実施することを開始した。
【先行技術文献】
【特許文献】
【０００７】
【特許文献１】特開２００６−３１９７７１号公報
【非特許文献】
【０００８】
【非特許文献１】“緊急地震速報の概要や処理手法に関する技術的参考資料”、気象庁地震火山部、[平成２０年１月３１日検索]、インターネット〈URL:http://www.seisvol.kishou.go.jp/eq/EEW/kaisetsu/Whats_EEW/reference.pdf〉
【発明の概要】
【発明が解決しようとする課題】
【０００９】
図１０には、地上デジタルテレビジョン放送の従来の典型的な受信装置の構成が示されている。この受信装置１０２は、ＴＭＣＣ信号から緊急起動信号を検出することが可能な装置であり、受信アンテナ１２１と、ＲＦ受信部１２２と、ＯＦＤＭ復調部１２３と、ＴＭＣＣ信号復調部１２４と、映像・音声復号部１２５と、提示用信号処理部（ＣＰＵ）１２６と、表示装置１２７と、スピーカー１２８とを備える。尚、受信アンテナ１２１、ＲＦ受信部１２２、ＯＦＤＭ復調部１２３、ＴＭＣＣ信号復調部１２４、映像・音声復号部１２５、提示用信号処理部（ＣＰＵ）１２６、表示装置１２７、及びスピーカー１２８は、通常の放送波受信用に機能するものである。
【００１０】
ＲＦ受信部１２２は、受信アンテナ１２１を介して地上デジタルテレビジョン方式におけるＯＦＤＭの伝送信号（ＲＦ信号）を受信して中間周波信号（ＩＦ信号）に変換し、ＯＦＤＭのＩＦ信号をＯＦＤＭ復調部１２３及びＴＭＣＣ信号復調部１２４に供給する。
【００１１】
ＯＦＤＭ復調部１２３は、少なくともＴＭＣＣ信号復調部１２４から緊急起動信号を受け付けた場合に、緊急情報を受信可能な所定のチャンネルによってＯＦＤＭのＩＦ信号を復調し、緊急情報に対応するトランスポートストリーム（ＴＳ）信号を抽出して映像・音声復号部１２５に送出する。これは、例えば、少なくともＴＭＣＣ信号復調部１２４から緊急起動信号を受け付けた場合に、受信装置１０２がスタンバイの電源供給状態であっても通常の電源供給状態へと移行させることを意味する。
【００１２】
ＴＭＣＣ信号復調部１２４は、受信したＩＦ信号から検出したＴＭＣＣ信号内の緊急警報放送用起動信号が１、即ち緊急情報がある旨を示す場合に、ＯＦＤＭ復調部１２３の起動を促す緊急起動信号をＯＦＤＭ復調部１２３に供給する。
【００１３】
映像・音声復号部１２５は、ＯＦＤＭ復調部１２３からの緊急情報に対応するＴＳ（トランスポートストリーム）信号を映像信号及び／又は音声信号（総じて、映像・音声信号と称する）に復号し、提示用信号処理部（ＣＰＵ）１２６に供給する。
【００１４】
提示用信号処理部（ＣＰＵ）１２６は、図示しない記憶部に格納可能な所定のアプリケーションソフトウェアを実行して、映像・音声復号部１２５から供給される映像・音声信号に基づいて表示装置１２７にて緊急情報を表示したり、或いはスピーカー１２８にて緊急情報を発したりすることができる。
【００１５】
しかしながら、このような従来の受信装置１０２は、緊急警報放送用起動信号をＴＭＣＣ信号復調部１２４によって常に監視することになるから、一旦緊急警報放送用起動信号が１であると認識すると（即ち、緊急警報放送があると認識すると）、緊急情報の内容が変化していないにも関わらず緊急警報放送の受信動作を継続し、緊急警報放送用起動信号が１でなくなるまで少なくとも提示用信号処理部（ＣＰＵ）１２６の機能を専用化もしくは優先的に使用してしまう。
【００１６】
例えば、図１１（ａ）に示すように、地上デジタルテレビジョン方式におけるＯＦＤＭの伝送信号において、緊急警報放送用起動信号が“なし”、“あり”、“なし”となる場合を考える。これに対応する緊急警報放送などの緊急情報データは、それぞれ“緊急情報なし”、“緊急情報♯１”、“緊急情報♯２”、“緊急情報♯３”、“緊急情報♯４”、“緊急情報なし”が対応する。尚、“緊急情報♯１”、“緊急情報♯２”、“緊急情報♯３”、及び“緊急情報♯４”は、それぞれ異なる内容、或いは同一内容で緊急情報を送信可能な単位情報である。
【００１７】
この場合、従来の受信装置１０２は、図１１（ｂ）に示すように、緊急警報放送用起動信号が“あり”を継続し続ける限り、提示用信号処理部（ＣＰＵ）１２６が、“緊急情報なし”、“緊急情報♯１”、“緊急情報♯２”、“緊急情報♯３”、“緊急情報♯４”、“緊急情報なし”の表示等のために、当該所定のアプリケーションソフトウェアの実行を専用化する。
【００１８】
しかしながら、“緊急情報♯１”、“緊急情報♯２”、“緊急情報♯３”、及び“緊急情報♯４”が全く同一の情報であるにも関わらず緊急情報の受信動作のために提示用信号処理部（ＣＰＵ）１２６が専用化されることは、消費電力の無駄な消費及び他のアプリケーションソフトウェアの実行の妨げとなる観点から、好ましくない。
【００１９】
そこで、本発明の目的は、上述の問題に鑑みて、緊急情報の受信動作をより効率化させる地上デジタルテレビジョン放送における緊急情報の送信装置及び受信装置、並びに伝送システムを提供することにある。
【課題を解決するための手段】
【００２０】
地上デジタルテレビジョン放送のＡＣ（Ａｕｘｉｌｉａｒｙ  Ｃｈａｎｎｅｌ）を利用して緊急地震速報などの緊急情報を伝送する伝送方式において、伝送される緊急情報の内容が更新されるたびに、値が更新される情報内容更新フラグを使用することで、緊急情報を受信している受信装置の内部処理量を効率的に削減する。
【００２１】
例えば、緊急情報をＡＣ信号で伝送するようにし、且つＡＣ信号を復調して得られる情報内容更新フラグを、提示用信号処理部（ＣＰＵ）に対して割り込み処理をかけるように機能させる。
【００２２】
即ち、本発明による緊急情報の送信装置は、地上デジタルテレビジョン放送波のＡＣ信号を用いて緊急情報を送信する緊急情報送信装置であって、伝送する緊急情報を、ＡＣ信号の同期確立に用いる同期信号と、緊急情報データの有無を表すための起動信号（緊急情報データの送出の開始と終了を示すための開始／終了フラグ）と、緊急情報データの更新の有無を識別するための情報内容更新フラグと、緊急情報データとを含む所定の電文フォーマットの緊急情報に変換する緊急情報データ変換部と、変換した緊急情報に対して誤り訂正符号のパリティビットを演算して付加する誤り訂正符号演算部と、前記パリティビットを付加した変換後の緊急情報をＡＣ信号で伝送するためにトランスポートストリームに多重する放送ＴＳ再多重部と、前記放送ＴＳ再多重部で生成した放送トランスポートストリームを地上デジタルテレビジョン放送波の変調波に変調する変調部とを備えることを特徴とする。
【００２３】
また、本発明による緊急情報の送信装置において、前記起動信号及び前記情報内容更新フラグの各々は、前記電文フォーマット内で隣接配置して形成されていることを特徴とする。
【００２４】
また、本発明による緊急情報の送信装置において、前記起動信号及び前記情報内容更新フラグの各々は、互いに冗長性を有して前記電文フォーマット内で隣接配置されていることを特徴とする。
【００２５】
また、本発明による緊急情報の送信装置において、前記起動信号及び前記情報内容更新フラグの各々は、緊急情報データが有りを示す起動信号の直後にのみ互いに冗長性を有する値で前記電文フォーマット内に隣接配置されていることを特徴とする。
【００２６】
また、本発明による緊急情報の送信装置において、当該伝送する緊急情報が、緊急警報放送、緊急地震速報、ニュース速報に関連する情報のいずれかであることを特徴とする。
なお、緊急地震速報は、地震動警報とも称される。
【００２７】
更に、本発明による受信装置は、地上デジタルテレビジョン放送波を受信する受信装置であって、伝送される緊急情報が、ＡＣ信号の同期確立に用いる同期信号と、緊急情報データの有無を表すための起動信号（緊急情報データの送出の開始と終了を示すための開始／終了フラグ）と、緊急情報データの更新の有無を識別するための情報内容更新フラグと、緊急情報データとを含む電文フォーマットの緊急情報としてＡＣ信号にて伝送可能に構成されており、受信した無線周波信号を中間周波信号に変換するＲＦ受信部と、変換した中間周波信号からＡＣ信号を復調するＡＣ信号復調部と、ＡＣ信号内に多重された緊急情報データの信号系統とは別系統で、検出した情報内容更新フラグ値を受信する提示用信号処理部とを備え、前記提示用信号処理部は、前記起動信号が緊急情報がある旨を示す場合でも、この直後の緊急情報データの受信以降は、緊急情報データの内容の更新がある旨を示す前記情報内容更新フラグ値を受信する場合にのみ、当該緊急情報データの受信動作を許容することを特徴とする。
【００２８】
また、本発明による受信装置において、前記起動信号及び前記情報内容更新フラグの各々は、前記電文フォーマット内で隣接配置して形成されていることを特徴とする。
【００２９】
また、本発明による受信装置において、前記起動信号及び前記情報内容更新フラグの各々は、緊急情報データがある旨を示す起動信号の直後にのみ互いに冗長性を有する値で前記電文フォーマット内に隣接配置されていることを特徴とする。
【００３０】
また、本発明による受信装置において、前記起動信号及び前記情報内容更新フラグの各々は、互いに冗長性を有して前記電文フォーマット内で隣接配置されていることを特徴とする。
【００３１】
また、本発明による受信装置において、前記提示用信号処理部は、当該互いに冗長性を有して隣接配置されている前記起動信号及び前記情報内容更新フラグの各々の値について、多数決判定して緊急情報の有無を判断することを特徴とする。
【００３２】
また、本発明による受信装置において、当該伝送する緊急情報が、緊急警報放送、緊急地震速報、ニュース速報に関連する情報のいずれかであることを特徴とする。
【００３３】
また、本発明の伝送システムは、地上デジタルテレビジョン放送の伝送システムであって、地上デジタルテレビジョン放送波のＡＣ信号を用いて緊急情報を送信する緊急情報の送信装置と、地上デジタルテレビジョン放送波を受信する受信装置とを備え、前記送信装置は、伝送する緊急情報を、ＡＣ信号の同期確立に用いる同期信号と、緊急情報データの有無を表すための起動信号（緊急情報データの送出の開始と終了を示すための開始／終了フラグ）と、緊急情報データの更新の有無を識別するための情報内容更新フラグと、緊急情報データとを含む所定の電文フォーマットの緊急情報に変換する緊急情報データ変換部と、変換した緊急情報に対して誤り訂正符号のパリティビットを演算して付加する誤り訂正符号演算部と、前記パリティビットを付加した変換後の緊急情報をＡＣ信号で伝送するためにトランスポートストリームに多重する放送ＴＳ再多重部と、前記放送ＴＳ再多重部で生成した放送トランスポートストリームを地上デジタルテレビジョン放送波の変調波に変調する変調部とを備え、前記受信装置は、受信した無線周波信号を中間周波信号に変換するＲＦ受信部と、変換した中間周波信号からＡＣ信号を復調するＡＣ信号復調部と、ＡＣ信号内に多重された緊急情報データの信号系統とは別系統で、検出した情報内容更新フラグ値を受信する提示用信号処理部とを備え、前記提示用信号処理部は、前記起動信号が緊急情報がある旨を示す場合でも、この直後の緊急情報データの受信以降は、緊急情報データの内容の更新がある旨を示す前記情報内容更新フラグ値を受信する場合にのみ、当該緊急情報データの受信動作を許容することを特徴とする。
【発明の効果】
【００３４】
本発明によれば、消費電力の無駄な消費を抑制し、且つ他のアプリケーションソフトウェアの実行の妨げをも防止することができる。
【図面の簡単な説明】
【００３５】
【図１】本発明に係る一実施例の緊急情報送信装置の概略図である。
【図２】本発明に係る一実施例の緊急情報の電文フォーマット例を示す図である。
【図３】本発明に係るＩＳＤＢ−Ｔ方式の地上デジタルテレビジョン放送波におけるＡＣ信号の構成を示す図である。
【図４】本発明による一実施例の受信装置のブロック図である。
【図５】本発明による一実施例の受信装置におけるＡＣ信号復調部の機能ブロック図である。
【図６】本発明による一実施例の受信装置の動作フロー図である。
【図７】（ａ）は本発明に係る一実施例の緊急警報放送用起動信号と緊急情報の関係を示す図であり、（ｂ）は本発明に係る一実施例の提示用信号処理部（ＣＰＵ）の動作を説明する図である。
【図８】本発明による一実施例の受信装置の動作フロー図である。
【図９】（ａ）は本発明に係る一実施例の緊急警報放送用起動信号と緊急情報の関係を示す図であり、（ｂ）は本発明に係る一実施例の提示用信号処理部（ＣＰＵ）の動作を説明する図である。
【図１０】従来の典型的な受信装置のブロック図である。
【図１１】（ａ）は従来の緊急警報放送用起動信号と緊急情報の関係を示す図であり、（ｂ）は従来の提示用信号処理部（ＣＰＵ）の動作を説明する図である。
【図１２】本発明に係る一実施例の緊急情報の電文フォーマットの別の例を示す図である。
【図１３】（ａ）は、電文フォーマットの別の例における本発明に係る一実施例の緊急警報放送用起動信号と緊急情報の関係を示す図であり、（ｂ）は、電文フォーマットの別の例における本発明に係る一実施例の提示用信号処理部（ＣＰＵ）の動作を説明する図である。
【図１４】（ａ）は、電文フォーマットの別の例における本発明に係る一実施例の緊急警報放送用起動信号と緊急情報の関係を示す図であり、（ｂ）は、電文フォーマットの別の例における本発明に係る一実施例の提示用信号処理部（ＣＰＵ）の動作を説明する図である。
【発明を実施するための形態】
【００３６】
本発明に係る実施例１の伝送システムにおける緊急情報送信装置及び受信装置について説明する。
【実施例１】
【００３７】
本発明に係る実施例１の伝送システムは、例えばＩＳＤＢ−Ｔ方式の地上デジタルテレビジョン放送に用いられ、実施例１の緊急情報送信装置は、ＡＣ（Ａｕｘｉｌｉａｒｙ  Ｃｈａｎｎｅｌ）信号を用いて、緊急情報（以下、緊急警報放送及び緊急地震速報などを含む情報を総括して、緊急情報と称する）を伝送する機能を有する。また、実施例１の受信装置は、ＡＣ信号によって緊急情報を受信する機能を有する。
【００３８】
例えば放送事業者は、気象庁から緊急地震速報を受信した場合、本実施例の送信装置１によって、緊急情報を格納する電文情報（例えば緊急地震速報の情報）を、例えばモード３の場合に、４か所のＴＭＣＣキャリアが運ぶＴＭＣＣ情報のリザーブ、及び／又は８箇所のＡＣキャリアが運ぶＡＣ情報に格納して、受信装置に向けて送信する。尚、本発明は、ＩＳＤＢ−Ｔ方式のモード３に限定するものではないし、複数ある全てのＴＭＣＣキャリア又はＡＣキャリアを用いて伝送しなければならないものではなく、特定のキャリア番号で異なる緊急情報の情報を伝送するように構成することができるものである。
【００３９】
ここで、伝送する緊急情報が例えば緊急地震速報の場合、気象庁から新たな緊急地震速報の電文が受信されるたびに情報内容更新フラグが更新されるようにする。
【００４０】
図１に、本発明に係る実施例１の緊急情報送信装置の概略図を示す。実施例１の緊急情報送信装置１は、緊急情報データ変換部１１と、誤り訂正符号演算部１２と、放送ＴＳ再多重部１３と、ＯＦＤＭ変調部１４とを備える。伝送する緊急情報データは、緊急情報データ変換部２に入力される。
【００４１】
緊急情報データ変換部１１は、ＡＣ信号を用いて伝送するための緊急情報を所定の電文フォーマットに変換する。具体的には、緊急情報データ変換部１１は、伝送する緊急情報を、ＡＣ信号の同期確立に用いる同期信号と、緊急情報データの有無を表すための起動信号（緊急情報データの送出の開始と終了を示すための開始／終了フラグ）と、緊急情報データの更新の有無を識別するための情報内容更新フラグと、緊急情報データとを含む電文フォーマットの緊急情報に変換する。
【００４２】
例えば、図２に例示する緊急情報の電文フォーマットは、差動復調の基準［１ｂｉｔ］、同期信号［１６ｂｉｔ］、起動信号（開始／終了フラグ）［２ｂｉｔ］、情報内容更新フラグ［１ｂｉｔ］、緊急情報データ［１０２ｂｉｔ］、誤り訂正用パリティビット［８２ｂｉｔ］の電文フォーマットからなる。緊急情報の電文フォーマットについては、詳細に後述する。
【００４３】
誤り訂正符号演算部１２は、起動信号［２ｂｉｔ］、情報内容更新フラグ［１ｂｉｔ］、及び緊急情報データ［１０２ｂｉｔ］のデータ列に対して、誤り訂正符号化を行う。一例として差集合巡回符号（２７３，１９１）の短縮符号で誤り訂正符号化を行うとすると、誤り訂正用のパリティビットは、８２ビットを付加することとなる。これ以外の誤り訂正符号を使用する場合は、当然パリティビット数も変わる。尚、本実施例では、緊急警報放送用起動信号が“１１”で緊急情報がある旨を示し、“００”で緊急情報がない旨を示す場合について説明する。
【００４４】
放送ＴＳ再多重部１３は、誤り訂正符号演算部４から出力されるデータ列を入力する。この放送ＴＳ再多重部１３では、入力されたデータ列にパケットヘッダを追加したデータ列を所定のトランスポートストリーム（ＴＳ）に記述する。例えば、ＴＭＣＣ信号のリザーブの場合は、ＩＩＰ情報のｍｏｄｕｌａｔｉｏｎ＿ｃｏｎｔｒｏｌ＿ｃｏｎｆｉｇｕｒａｔｉｏｎ＿ｉｎｆｏｒｍａｔｉｏｎに、ＴＭＣＣ＿ｒｅｓｅｒｖｅｄ＿ｆｕｔｕｒｅ＿ｕｓｅというシンタックスに記述する。
【００４５】
ＡＣ信号の多重方法については、ＴＳパケットのダミーバイト部分へ多重する方法と、無効階層ＴＳパケットとして多重する方法などがある。ＡＣ信号への多重方法の詳細については、社団法人電波産業会の「地上デジタルテレビジョンの伝送方式  標準規格」ＡＲＩＢ ＳＴＤ−Ｂ３１の付属「運用ガイドライン」の第５章及び第６章を参照されたい。以上のようにして、放送ＴＳ再多重部５で生成した放送ＴＳは、ＯＦＤＭ変調部１４に入力される。
【００４６】
ＯＦＤＭ変調部１４は、多重フレーム構造を有する、地上デジタルテレビジョンの伝送信号を出力する。
【００４７】
ＡＣ信号は、１フレーム２０４シンボルで構成される。例えば、ＩＳＤＢ−Ｔ方式の地上デジタルテレビジョン放送波の部分受信セグメント（セグメント番号＃０）のモード３の同期変調部の場合、ＡＣ信号は、４３２本あるキャリアのうち、キャリア番号＃７、＃８９、＃２０６、＃２０９、＃２２６、＃２４４、＃３７７及び＃４０７の８箇所にあるＡＣキャリアによって運ばれる信号である（図２及び図３参照）。本発明の理解を容易にするために、図２の例では、ＡＣ信号を用いて緊急情報を伝送する場合には、ＴＭＣＣ信号と同一フレーム長であることから、ＴＭＣＣ信号と同様のＤＢＰＳＫ変調における「差動復調の基準［１］」（図２及び３では、「基準」として図示）、ＴＭＣＣ信号と同様の「同期信号［１６］」、緊急情報の「起動信号［２］」、情報内容更新フラグ［１ｂｉｔ］及び緊急情報の「緊急情報データ［１０２］」、及び「誤り訂正用パリティビット［８２］」とを設けた電文情報のフォーマットで、緊急情報を伝送する。例えば、「起動フラグ」を、２ビットで構成した場合、‘００’が「地震動警報有り」を示し、‘１１’が「地震動警報無し」を示す。従って、起動フラグは、緊急速報（例えば、地震動の警報情報）の伝送の開始／終了を示すフラグ（開始／終了フラグ）として機能する。
【００４８】
この緊急情報データの有無を表すための起動信号は、受信装置２の電源をスタンバイ状態から電源オン状態にするのに用いることができ、例示的に２ビットとして説明する。また、情報内容更新フラグは、１ビットとして説明するが、複数ビットで構成することができる。
【００４９】
例えば、情報内容更新フラグを２ビットとした例をそれぞれ図１２及び図１３に示している。図１２に例示する緊急情報の電文フォーマットは、差動復調の基準［１ｂｉｔ］、同期信号［１６ｂｉｔ］、起動信号［２ｂｉｔ］、情報内容更新フラグ［２ｂｉｔ］、緊急情報データ［１０１ｂｉｔ］、誤り訂正用パリティビット［８２ｂｉｔ］の電文フォーマットからなる。また、図１３（ａ）に示すように、地上デジタルテレビジョン方式におけるＯＦＤＭの伝送信号において、緊急警報放送用起動信号が“なし”、“あり”、“なし”となる場合を考える。これに対応する緊急警報放送などの緊急情報データは、それぞれ“緊急情報なし”、“緊急情報♯１”、“緊急情報♯２”、“緊急情報♯３”、“緊急情報♯４”、“緊急情報なし”が対応する。尚、“緊急情報♯１”、“緊急情報♯２”、“緊急情報♯３”、“緊急情報♯４”及び“緊急情報♯５”は、それぞれ異なる内容、或いは同一内容で緊急情報を送信可能な単位情報である。
【００５０】
この場合、本実施例の受信装置２は、図１３（ｂ）に示すように、緊急警報放送用起動信号が“あり”を継続していても、緊急情報データの内容の更新がある旨を示す情報内容更新フラグの値でないかぎり、提示用信号処理部（ＣＰＵ）２６が、“緊急情報なし”、“緊急情報♯１”、“緊急情報♯２”、“緊急情報♯３”、“緊急情報♯４”、“緊急情報♯５”、“緊急情報なし”の表示等のために、当該所定のアプリケーションソフトウェアの実行を専用化することがなくなる。情報内容更新フラグの値は、極性反転方式か、又はパルス方式により検出することができる。
【００５１】
情報内容更新データを１ビットとする場合にも緊急情報の更新の識別が可能である。しかし、受信エラーや移動受信によるパケットロスなどで情報内容が更新されたことを検知しないまま、更に情報内容が更新された場合は、１ビットの場合はもとの情報と同じであると認識されてしまうが、２ビットとすることでこのような場合でも情報内容が更新されたことを検知することができるので、緊急情報の更新の幅を広げることになる。即ち、情報内容更新データを設けること自体が有効であり、より多くのビット数とすれば更に緊急情報の更新の幅を広げることができるが、伝送すべき地震速報に関する警報情報又は詳細情報のビット数が減少するため、２ビット程度とするのが好適である。
【００５２】
従って、実施例１の緊急情報送信装置１が伝送する緊急情報の情報内容を変更する際、情報内容更新フラグを、例えば１ビットであれば０から１へ、或いは１から０へ変更することで、受信装置２は、受信する緊急情報の情報内容が更新されたか否かを識別することができるようになる。
【００５３】
また、図２に例示する緊急情報の電文情報のフォーマットは、任意の態様で構成することができ、その一例としてのみ説明するものである。例えば、「緊急情報データ」は、緊急警報放送、緊急地震速報（地震動警報）、ニュース速報のいずれかの情報を識別する「緊急情報識別信号」と、複数種類の態様で伝送される情報を識別する「各種識別信号」、及び各情報内容の詳細（例えば、緊急地震速報であれば、震源地や震度）を記述した「詳細情報」を含むことができる。更に、緊急情報の電文情報のフォーマットにおけるビット割当は、任意の態様で選定できる。
【００５４】
ここで、伝送する緊急情報が例えば緊急地震速報の場合、気象庁から新たな緊急地震速報の電文が受信されるたびに情報内容更新フラグが更新されるようにする。緊急地震速報の電文の具体例として、例えば、同時発報されている地震情報の総数を表す「地震情報総数」、電文を複数フレームで伝送する場合に現在のフレームが何番目の地震情報を示しているかを表す「地震情報番号」、地震の程度を識別する「地震識別番号」、複数の緊急地震速報がある場合に個々を識別する「緊急地震速報番号」、地震発生時刻、震源の緯度、震源の経度、震源の深さ、マグニチュード、最大予測震度などの「震源の情報」、電文を複数フレームで伝送する場合に各フレームをページで区別する「ページ種別」等の予め規定された詳細情報のうちのいずれかの情報に変化があった場合に、情報内容更新フラグが更新される。
【００５５】
図５に、本発明による実施例１の受信装置のブロック図を示す。図６に、本発明による一実施例の受信装置の動作フロー図である。図７に、本発明による実施例１の受信装置の動作フローを示す。実施例１の受信装置は、例えばＩＳＤＢ−Ｔ方式の地上デジタルテレビジョン放送信号（実施例１の緊急情報送信装置１からの伝送信号を含む）を受信して復調し、得られる緊急情報の映像・音声信号、及びＡＣ信号に含まれる緊急情報データを処理して表示等を行う装置である。尚、本実施例では、緊急警報放送用起動信号が“１１”で緊急情報がある旨を示し、“００”で緊急情報がない旨を示す場合について説明する。
【００５６】
実施例１の受信装置２は、受信アンテナ２１と、ＲＦ受信部２２と、ＯＦＤＭ復調部２３と、ＡＣ信号復調部２４と、映像・音声復号部２５と、提示用信号処理部（ＣＰＵ）２６と、表示装置２７と、スピーカー２８とを備える。
【００５７】
尚、本実施例の受信装置２における受信アンテナ２１、ＲＦ受信部２２、ＯＦＤＭ復調部２３、映像・音声復号部２５、提示用信号処理部（ＣＰＵ）２６、表示装置２７、及びスピーカー２８は、図１０を用いて前述した従来の受信装置１０２における受信アンテナ１２１、ＲＦ受信部１２２、ＯＦＤＭ復調部１２３、映像・音声復号部１２５、提示用信号処理部（ＣＰＵ）１２６、表示装置１２７、及びスピーカー１２８に対応する。しかしながら、本実施例の受信装置２は、ＴＭＣＣ信号復調部１２４の代わりに、ＡＣ信号復調部２４を備える点と、提示用信号処理部（ＣＰＵ）２６が従来の受信装置１０２のものとは異なる機能を有する点で相違する。このため、ＡＣ信号復調部２４及び提示用信号処理部（ＣＰＵ）２６について詳細に説明する。
【００５８】
ＡＣ信号復調部２４は、ＲＦ受信部２２から出力されるＩＦ信号を入力して、このＩＦ信号からＡＣ信号内の差動復調の基準及び同期信号を用いてＡＣ信号を復調し、ＡＣ情報を解析するＡＣ情報解析部２４１を有する。ＡＣ信号は、ＦＦＴ処理を使用して復調することができる。
【００５９】
特に、ＡＣ情報解析部２４１は、例えば差集合巡回符号（２７３，１９１）の短縮符号（１８４，１０２）の復号処理を施してＡＣ情報の誤りを訂正し、起動信号、情報内容更新フラグ、及び緊急情報データを抽出する誤り訂正機能２４１ａと、起動信号を監視するための起動信号監視機能２４１ｂと、情報内容更新フラグの値を監視する情報内容更新フラグ監視機能２４１ｃとを有する。
【００６０】
例えば、図６を参照するに、ＡＣ信号復調部２４は、ＡＣ信号を復調する（ステップＳ１１）。続いて、ＡＣ信号復調部２４は、この復調して検出したＡＣ信号内の緊急警報放送用起動信号を監視し（ステップＳ１２）、緊急警報放送用起動信号が１、即ち緊急情報がある旨を示す場合に（ステップＳ１３）、情報内容更新フラグの値と緊急情報データを抽出して提示用信号処理部（ＣＰＵ）２６に送出する（ステップＳ１４）。
【００６１】
続いて、提示用信号処理部（ＣＰＵ）２６は、情報内容更新フラグの値を監視し（ステップＳ１５）、情報内容更新フラグの値が変化した場合に緊急情報の更新があったと判断した場合（ステップＳ１６）、所定のアプリケーションソフトウェアを実行して緊急情報データの表示等を行う（ステップＳ１７）。一方、情報内容更新フラグの値が変化した場合に緊急情報の更新がないと判断した場合（ステップＳ１６）、当該所定のアプリケーションソフトウェアの使用を解放する（ステップＳ１８）。尚、ステップＳ１６において、起動信号“あり”で初めて緊急情報データを抽出した際にも、緊急情報が“更新あり”と同様と判断し、ステップＳ１７に進む。
【００６２】
例えば、図７（ａ）に示すように、地上デジタルテレビジョン方式におけるＯＦＤＭの伝送信号において、緊急警報放送用起動信号が“なし”、“あり”、“なし”となる場合を考える。これに対応する緊急警報放送などの緊急情報データは、それぞれ“緊急情報なし”、“緊急情報♯１”、“緊急情報♯２”、“緊急情報♯３”、“緊急情報♯４”、“緊急情報なし”が対応する。尚、“緊急情報♯１”、“緊急情報♯２”、“緊急情報♯３”、及び“緊急情報♯４”は、それぞれ異なる内容、或いは同一内容で緊急情報を送信可能な単位情報である。
【００６３】
この場合、本実施例の受信装置２は、図７（ｂ）に示すように、緊急警報放送用起動信号が“あり”を継続していても、緊急情報データの内容の更新がある旨を示す情報内容更新フラグの値でないかぎり、提示用信号処理部（ＣＰＵ）２６が、“緊急情報なし”、“緊急情報♯１”、“緊急情報♯２”、“緊急情報♯３”、 “緊急情報♯４”、“緊急情報なし”の表示等のために、当該所定のアプリケーションソフトウェアの実行を専用化することがなくなる。情報内容更新フラグの値は、極性反転方式か、又はパルス方式により検出することができる。
【００６４】
このように、本実施例の受信装置２では、情報内容更新フラグが更新された場合（例えば１ビットであれば、０から１へ、或いは又１から０への変更を検知した場合、又は、例えば２ビットであれば、１１、０１、１０、１１等への変更を検知した場合）、映像・音声などの本線信号やＡＣ信号内に多重された緊急情報データの送出系統とは別系統で、検出した情報内容更新フラグ値を優先的に提示用信号処理部（ＣＰＵ）２６に送出する。従って、提示用信号処理部（ＣＰＵ）２６は、起動信号が緊急情報がある旨を示す場合でも、この直後の緊急情報データの受信以降は、緊急情報データの内容の更新がある旨を示す前記情報内容更新フラグ値を受信する場合にのみ、当該緊急情報データの受信動作を許容し、ＡＣ信号復調部２４から供給される当該緊急情報に係る映像・音声信号やＡＣ信号内に多重された緊急情報データを表示装置２７に表示したり、或いはスピーカー２８にて情報提供したりするように制御することができるようになる。また、図７及び図１３に示すように、情報内容更新フラグを１ビットとする場合にも緊急情報の更新の識別が可能であり、２ビットとすることで更に緊急情報の更新の幅を広げることになる。例えば、情報内容更フラグが１ビットの場合、内容が更新されるごとに１‐０‐１‐０の交番となるが、移動受信などで電波の状態が悪く一連のデータをとりこぼした場合、例えば、更新フラグの状態が０‐１‐０と更新される前の状態に戻ると、受信機では情報内容が更新されたことが判別できない状態となる。そこで、情報内容更新フラグを２ビットにすることで、このような情報内容の更新を判別出来ない状態を回避できるようになる。
【００６５】
従って、本発明による実施例１の緊急情報送信装置及び受信装置によれば、消費電力の無駄な消費を抑制し、且つ他のアプリケーションソフトウェアの実行の妨げをも防止することができる。また、緊急情報の表示が効率よく速やかに行うことができる。
【００６６】
次に、本発明に係る実施例２の伝送システムにおける緊急情報送信装置及び受信装置について説明する。
【実施例２】
【００６７】
本発明に係る実施例２の伝送システムは、実施例１の緊急情報送信装置及び受信装置と同一の構成要素を有し、実施例１の全ての利点を包含する。
【００６８】
一方、実施例２の緊急情報送信装置では、実施例１の構成と比較して、起動信号と情報内容更新フラグの値が冗長性をもって伝送される点と、尚、本実施例では、緊急警報放送用起動信号が“００”で緊急情報がある旨を示し、“１１”で緊急情報がない旨を示す点で相違する。
【００６９】
即ち、実施例１の緊急情報送信装置及び受信装置では、消費電力の無駄な消費を抑制し、且つ他のアプリケーションソフトウェアの実行の妨げをも防止することができるが、起動信号が“００”となったと判断された直後には少なくとも緊急情報データがあると判断して動作するように機能するため、起動信号の値をいち早く確かめることができる仕組みを設けることが好ましい。このように、２ビットの起動信号を“００”又は“１１”で識別する理由は、冗長性を持たせるためである。
【００７０】
例えば、図８を参照するに、ＡＣ信号復調部２４は、ＡＣ信号を復調する（ステップＳ２１）。続いて、ＡＣ信号復調部２４は、この復調して検出したＡＣ信号内の緊急警報放送用起動信号と情報内容更新フラグを監視し（ステップＳ２２）、緊急警報放送用起動信号が“００”、即ち緊急情報がある旨を示すとともに、冗長性を持たせた情報内容更新フラグが“０”を示す場合に（ステップＳ２３）、情報内容更新フラグの値と緊急情報データを抽出して提示用信号処理部（ＣＰＵ）２６に送出する（ステップＳ２４）。
【００７１】
続いて、提示用信号処理部（ＣＰＵ）２６は、情報内容更新フラグの値を監視し（ステップＳ２５）、情報内容更新フラグの値が変化した場合に緊急情報の更新があったと判断した場合（ステップＳ２６）、所定のアプリケーションソフトウェアを実行して緊急情報データの表示等を行う（ステップＳ２７）。一方、情報内容更新フラグの値が変化した場合に緊急情報の更新がないと判断した場合（ステップＳ２６）、当該所定のアプリケーションソフトウェアの使用を解放する（ステップＳ２８）。尚、ステップＳ２６において、冗長性をもたせた起動信号“あり”で初めて緊急情報データを抽出した際にも、緊急情報が“更新あり”と同様と判断し、ステップＳ２７に進む。
【００７２】
このように、実施例２の緊急情報送信装置は、起動信号と情報内容更新フラグの値とを冗長性を持たせて伝送する。具体的には、図９に示すように、起動信号が“００”となった直後の情報内容更新フラグの値を必ず“０”を挿入するようにする。従って、受信装置側の信号値としては、起動信号２ビットと情報内容更新フラグ値（１ビット）が冗長性をもって“０００”を示すときに、緊急情報が伝送されたと判断する。
【００７３】
これにより、実施例２の緊急情報送信装置及び受信装置によれば、緊急情報が伝送されたことをより確実に判断することができるようになる。つまり、緊急情報が伝送されていないときは“１１１”となり、緊急情報が初めて伝送されたときは“０００”となる。受信装置は、“１１１”であるか、又は“０００”であるかを区別すればよく、最初に緊急情報が送出された際、高い信頼性で緊急情報を検出することができる。起動信号のみで検出する際には、“１１”であるか、又は“００”であるかを区別することになるが、“１１”と送っていたにも係わらず“００”と検出する場合があり、この場合は、１フレーム分のＡＣデータを全て受信し、誤り訂正して改めて起動信号をチェックすると“１１”となるため、誤検出したことが分かる。従って、３ビットで検出した場合は、この誤検出の確率が低くなり、更なる消費電力の無駄な消費の抑制と、他のアプリケーションソフトウェアの実行の妨げの防止効果を得ることができるようになる。
【００７４】
また、提示用信号処理部（ＣＰＵ）２６は、当該互いに冗長性を有して隣接配置されている起動信号及び情報内容更新フラグの各々の値について、多数決判定して緊急情報の有無を判断する機能を有することもできる。具体的には、受信装置が起動信号と情報内容更新フラグの値とを用いて、緊急情報が初めて伝送されたか否かを“１１１”であるか、又は“０００”であるかを区別して判断する際、この３ビットを多数決判定して判断することもできる。即ち、３ビットのうち任意の２ビットが１の場合には、緊急情報なしと判断し、３ビットのうち任意の２ビットが０の場合には緊急情報ありと判断する。これにより、更に誤検出の確率を低くすることができる。
【００７５】
尚、情報内容更新フラグを１ビットとする場合にも緊急情報の更新の有無だけでなく、緊急情報の有無の冗長性が得られ、２ビットとすることで更に緊急情報の更新及び緊急情報の有無の冗長性の幅を広げることになる。
【００７６】
図１４に示す例では、緊急情報が伝送されていないときは“１１１１”となり、緊急情報が初めて伝送されたときは“００００”となる。受信装置は、“１１１１”であるか、又は“００００”であるかを区別すればよく、最初に緊急情報が送出された際、高い信頼性で緊急情報を検出することができる。起動信号のみで検出する際には、“１１”であるか、又は“００”であるかを区別することになるが、“１１”と送っていたにも係わらず“００”と検出する場合があり、この場合は、１フレーム分のＡＣデータを全て受信し、誤り訂正して改めて起動信号をチェックすると“１１”となるため、誤検出したことが分かる。従って、４ビットで検出した場合は、この誤検出の確率が低くなり、更なる消費電力の無駄な消費の抑制と、他のアプリケーションソフトウェアの実行の妨げの防止効果を得ることができるようになる。
【００７７】
この場合、提示用信号処理部（ＣＰＵ）２６は、当該互いに冗長性を有して隣接配置されている起動信号及び情報内容更新フラグの各々の値について、多数決判定して緊急情報の有無を判断する機能を有することもできる。具体的には、受信装置が起動信号と情報内容更新フラグの値とを用いて、緊急情報が初めて伝送されたか否かを“１１１１”であるか、又は“００００”であるかを区別して判断する際、この４ビットを多数決判定して判断することもできる。例えば、４ビットのうち任意の２ビット以上が１の場合には、緊急情報なしと判断し、４ビットのうち任意の２ビット以上が０の場合には緊急情報ありと判断する。これにより、更に誤検出の確率を低くすることができる。
【００７８】
上述の実施例については特定の符号化方式を代表的な例として説明したが、本発明の趣旨及び範囲内で、多くの変形及び置換することができることは当業者に明らかである。例えば、本発明に係る受信装置は、携帯電話、携帯情報端末（ＰＤＡ）、腕時計、置時計、パーソナルコンピュータ又は家電製品など、あらゆる機器に具備させることができるものである。また、起動信号及び情報内容更新フラグのビット数及び論理値は、上述の実施例に限定されるものではない。なお、本実施例にて、緊急速報の情報は、ＩＳＤＢ−Ｔ方式の地上デジタルテレビジョン放送波の部分受信セグメント（セグメント番号＃０）内のＡＣ信号により送出される。携帯電話など移動・携帯端末の多くでは、この部分受信セグメント（セグメント番号＃０）を受信して番組を視聴する（ワンセグサービス）。よって、携帯電話などに具備される本実施例の受信装置は、緊急速報の情報を伝送するＡＣ信号を受信できる。一方、他のセグメントを受信する固定受信向けのデジタルテレビなどに具備される本実施例の受信装置においても、ＡＣ信号については部分受信セグメント内のものを受信することにより、緊急速報の情報を受信できる。従って、本発明は、上述の実施例によって制限するものと解するべきではなく、特許請求の範囲によってのみ制限される。
【産業上の利用可能性】
【００７９】
本発明による送信装置及び受信装置は、消費電力の無駄な消費の抑制と、他のアプリケーションソフトウェアの実行の妨げの防止効果を得るので、所定のＡＣ信号を用いる伝送方式の用途に有用である。
【符号の説明】
【００８０】
１  緊急情報送信装置
１１  緊急情報データ変換部
１２  誤り訂正符号演算部
１３  放送ＴＳ再多重部
１４  ＯＦＤＭ変調部
２１  受信アンテナ
２２  ＲＦ受信部
２３  ＯＦＤＭ復調部
２４  ＡＣ信号復調部
２５  映像・音声復号部
２６  提示用信号処理部（ＣＰＵ）
２７  表示装置
２８  スピーカー
１０２  受信装置
１２１  受信アンテナ
１２２  ＲＦ受信部
１２３  ＯＦＤＭ復調部
１２４  ＴＭＣＣ信号復調部
１２５  映像・音声復号部
１２６  提示用信号処理部（ＣＰＵ）
１２７  表示装置
１２８  スピーカー
２４１  ＡＣ情報解析部
２４１ａ  誤り訂正機能
２４１ｂ  起動信号監視機能
２４１ｃ  情報内容更新フラグ監視機能
【図１】
2010233199.tif 000003
【図２】
2010233199.tif 000004
【図３】
2010233199.tif 000005
【図４】
2010233199.tif 000006
【図５】
2010233199.tif 000007
【図６】
2010233199.tif 000008
【図７】
2010233199.tif 000009
【図８】
2010233199.tif 000010
【図９】
2010233199.tif 000011
【図１０】
2010233199.tif 000012
【図１１】
2010233199.tif 000013
【図１２】
2010233199.tif 000014
【図１３】
2010233199.tif 000015
【図１４】
2010233199.tif 000016